(57)【特許請求の範囲】
【請求項１】
可聴音以下の周波数成分の音が共鳴して増幅される閉空間の音響部屋と、
前記音響部屋の中に前記周波数成分の音を放射する音源と、
前記音響部屋の中に配置され、前記周波数の音により生じる振動の影響を調べるための対象である試験体と、
前記試験体に生じる前記振動を検出するセンサと、
を含むことを特徴とする振動評価装置。
【請求項２】
前記音響部屋の内壁は、吸音材を備えていることを特徴とする請求項１に記載の振動評価装置。
【請求項３】
前記試験体は窓及び窓枠であって、前記窓枠を支持する支持部材により、前記音響部屋内に配置され、
前記支持部材は、前記窓枠の締め付け状態を変更する締め付けトルク変更手段を備えていることを特徴とする請求項１または請求項２に記載の振動評価装置。
【請求項４】
前記音響部屋は、縦、横及び高さの少なくとも１つの長さが他の長さと異なり、複数の異なる共鳴周波数で共鳴する閉空間であることを特徴とする請求項１から請求項３のいずれか１項に記載の振動評価装置。
【発明の詳細な説明】
【技術分野】
【０００１】
本発明は、例えば、ガスタービンの排気ガスを排出する排気煙突から放出される低周波数成分の音による振動を評価する振動評価装置に関するものである。
【背景技術】
【０００２】
一般的なガスタービンは、圧縮機と燃焼器とタービンにより構成されている。そして、吸気ダクトから取り込まれた空気が圧縮機によって圧縮されることで高温・高圧の圧縮空気となり、燃焼器にて、この圧縮空気に対して燃料を供給して燃焼させることで高温・高圧の燃焼ガス（作動流体）を得て、この燃焼ガスによりタービンを駆動し、このタービンに連結された発電機を駆動する。
【０００３】
このようなガスタービンの排気ガスを排出する排気煙突は、ガスタービンの内部の音場の共鳴により、数Ｈｚ以下の低周波数成分の音が外部に放出する可能性がある。例えば低周波数成分の音は、人間の可聴音以下の周波数であることが多いので直接異音を感じることが少ないが、間接的にプラント周囲の家屋の建具（窓など）の振動（ガタツキ）を生じさせる要因となることがある。
【０００４】
このような特定の低周波数成分の音を外部に放出する可能性を低減するため、サイレンサ（消音器）の技術がある（特許文献１参照）。
【先行技術文献】
【特許文献】
【０００５】
【特許文献１】特開平１１−１５９３４７号公報
【発明の概要】
【発明が解決しようとする課題】
【０００６】
上述した特許文献１の排気煙道のサイレンサは、低周波数成分の音を消音することができる。しかしながら、消音効果を評価するには、家屋の窓枠などのガタツキ自体を評価する評価装置が望まれている。
【０００７】
本発明は、上述した課題を解決するものであり、低周波数成分の音を試験体の振動として間接的に評価する振動評価装置を提供することを目的とする。
【課題を解決するための手段】
【０００８】
上記の目的を達成するため、振動評価装置は、可聴音以下の周波数成分の音が共鳴して増幅される閉空間の音響部屋と、前記音響部屋の中に前記周波数成分の音を放射する音源と、前記音響部屋の中に配置され、前記周波数の音により生じる振動の影響を調べるための対象である試験体と、前記試験体に生じる前記振動を検出するセンサと、を含むことを特徴とする。
【０００９】
上記構成により、振動評価装置は、可聴音以下の低周波音の評価を間接的な試験体の振動として評価することができる。
【００１０】
本発明において、前記音響部屋の内壁は、吸音材を備えていることが好ましい。
【００１１】
上記構成により、振動評価装置は、音響部屋の見かけの閉空間を広げることができる。このため、振動評価装置は、音響部屋を小さくすることができる。
【００１２】
本発明において、前記試験体は窓及び窓枠であって、前記窓枠を支持する支持部材により、前記音響部屋内に配置され、前記支持部材は、前記窓枠の締め付け状態を変更する締め付けトルク変更手段を備えていることを特徴とすることが好ましい。
【００１３】
上記構成により、窓と窓枠との遊びとなる窓の振動する間隔が抑制されたり、緩和されたりする。このため、振動評価装置は家屋毎によって異なる建具の状態を模擬することができる。
【００１４】
本発明において、前記音響部屋は、縦、横及び高さの少なくとも１つの長さが他の長さと異なり、複数の異なる共鳴周波数で共鳴する閉空間であることが好ましい。
【００１５】
上記構成により、振動評価装置は、音響部屋で複数の共鳴周波数で共鳴する閉空間を形成することができる。このため、振動評価装置は、より複雑な音場の共鳴周波数を再現することができる。
【発明の効果】
【００１６】
本発明によれば、低周波数成分の音を試験体の振動として間接的に評価する振動評価装置を提供することができる。
【図面の簡単な説明】
【００１７】
【図１】図１は、実施形態に係る振動評価装置を表す概略構成図である。
【図２】図２は、実施形態の支持部材を模式的に示す模式図である。
【図３】図３は、計測システムを模式的に示すブロック図である。
【図４】図４は、実施形態の音響部屋を説明するための説明図である。
【図５】図５は、実施形態の音響部屋を説明するための説明図である。
【発明を実施するための形態】
【００１８】
本発明を実施するための形態（実施形態）につき、図面を参照しつつ詳細に説明する。なお、この実施形態により本発明が限定されるものではない。また、以下に記載した構成要素には、当業者が容易に想定できるもの、実質的に同一のものが含まれる。さらに、以下に記載した構成要素は適宜組み合わせることが可能である。
【００１９】
図１は、実施形態に係る振動評価装置を表す概略構成図である。振動評価装置１は、音響部屋２と、音源３と、試験体Ｗと、振動を検出するセンサＳＨ、ＳＭ、ＳＬとを含む。振動を検出するセンサＳＨ、ＳＭ、ＳＬは、例えば、振動解析装置４２とコンピュータ４１と共に、計測システム４を構成する。
【００２０】
一般的なガスタービンは、圧縮機と燃焼器とタービンにより構成されている。そして、空気ダクトから取り込まれた空気が圧縮機によって圧縮されることで高温・高圧の圧縮空気となり、燃焼器にて、この圧縮空気に対して燃料を供給して燃焼させることで高温・高圧の燃焼ガス（作動流体）を得て、この燃焼ガスによりタービンを駆動し、このタービンに連結された発電機を駆動する。
【００２１】
このようなガスタービンの排気ガスを排出する排気煙突は、ガスタービンの内部の音場の共鳴により、数Ｈｚ以下の低周波数成分の音が外部に放出する可能性がある。例えば低周波数成分の音は、数十Ｈｚ以下である。この低周波数成分の音は、人間の可聴音以下の周波数成分（２０Ｈｚ以下の周波数）であることが多いので、直接異音を感じることが少ないが、間接的にプラント周囲の家屋の建具、例えば窓及び窓枠などの振動（ガタツキ）を生じさせる要因となることがある。
【００２２】
実施形態に係る振動評価装置１は、低周波数成分の音がプラント周囲の家屋の建具、例えば窓及び窓枠などの振動（ガタツキ）を生じさせる状態を模擬することができる。この低周波数成分の音を発生させるため、音源３は、例えば、発振器３１と、アンプ３２と、スピーカ３３とを備えている。音源３は、発振器３１がガスタービンの排気ガスを排出する排気煙突から放出される低周波数成分の音と同じ周波数成分の信号を発振し、この信号をアンプ３２で増幅してスピーカ３３へ出力する。そして、スピーカ３３は、音響部屋２の内部に、低周波数成分の音を放出する。
【００２３】
音響部屋２は、人間の可聴音以下の周波数成分で共鳴する閉空間を構成する。このため、縦Ｙ、横Ｘ、高さＺのいずれかが、評価する可聴音以下の低周数成分で共鳴する共鳴周波数をもつ長さである必要がある。評価する可聴音以下の低周波数成分で共鳴する共鳴周波数をもつ音響長さをＬとする場合、Ｌは式（１）で示される長さとなる。ここで、ｃは、音波の速さ（例えば、３４０ｍ／ｓ）であり、ｆは共鳴周波数である。
【００２４】
Ｌ＝ｃ／４ｆ      ・・・（１）
【００２５】
例えば、共鳴周波数が２Ｈｚである場合、音響長さＬは、４２．５ｍとなる。そこで、実施形態の音響部屋２では、例えば横の長さＸを上記音響長さＬとすることで音響部屋２は、可聴音以下の周波数成分で共鳴する閉空間を構成することができる。実施形態の音響部屋２は、横の長さＹを上記音響長さＬとしてもよいし、高さＺを上記音響長さＬとしてもよい。
【００２６】
音響部屋２の内部には、試験体Ｗとして、窓ＷＧと、窓ＷＧの窓枠ＷＵが、支持部材５により支持されている。図２は、実施形態の支持部材を模式的に示す模式図である。図２に示すように、支持部材５は、支持柱５１と、支持柱５１に取り付けられた取付台５２と、試験体Ｗである窓枠ＷＵを取付台５２に位置決めする取付ボルト５３である。
【００２７】
取付台５２と取付ボルト５３は、締め付けトルク変更手段を構成する締結構造である。例えば、締め付けトルク変更手段は、取付台５２の雌ねじと、この雌ねじに螺合する取付ボルト５３の雄ねじである。この構造により、窓枠ＷＵの締め付け状態を変更することができる。このため、振動評価装置１は、家屋毎に異なる建具である窓枠ＷＵの境界条件を変更して、窓枠ＷＵ及び窓ＷＧに生じる振動を評価することができる。なお、締め付けトルク変更手段は、窓枠ＷＵに対して押圧力を加える機構であればよく、例えば電動モータを駆動して押圧するアクチュエータであってもよい。
【００２８】
試験体Ｗには、振動を検出できるセンサＳＨ、ＳＭ、ＳＬが取り付けられている。実施形態に係る振動評価装置１は、複数のセンサＳＨ、ＳＭ、ＳＬが、試験体Ｗに取り付ける高さを変えている。このように高さを変えて複数のセンサＳＨ、ＳＭ、ＳＬを取り付けることで、振動の検出精度を高めることができる。なお、センサは１つでもよい。
【００２９】
センサＳＨ、ＳＭ、ＳＬは、加速度センサ、マイクロフォン等を使用することができる。センサＳＨ、ＳＭ、ＳＬは、電気的に振動解析装置４２に接続され、試験体Ｗの振動に応じて電気信号を振動解析装置４２に送出する。振動解析装置４２は、センサＳＨ、ＳＭ、ＳＬの電気信号を、例えば周波数領域毎に解析する一次処理を行う。図３は、計測システムを模式的に示すブロック図である。図３に示すように、振動解析装置４２は、振動解析情報ｉｓをコンピュータ４１へ送出する。
【００３０】
コンピュータ４１は、入力処理回路８１と、入力ポート８２と、処理部９０と、記憶部９４と、出力ポート８３と、出力処理回路８４と、を有する。処理部９０は、例えば、ＣＰＵ（Central  Processing  Unit：中央演算装置）９１と、ＲＡＭ（Random  Access  Memory）９２と、ＲＯＭ（Read  Only  Memory）９３とを含んでいる。コンピュータ４１には、表示装置８５と、入力装置８６とが必要に応じて接続可能である。またコンピュータ４１は、入力装置８６がなくても動作可能である。
【００３１】
処理部９０と、記憶部９４と、入力ポート８２及び出力ポート８３とは、バス８７、バス８８、バス８９を介して接続される。バス８７、バス８８及びバス８９により、処理部９０のＣＰＵ９１は、記憶部９４と、入力ポート８２及び出力ポート８３と相互に制御データをやり取りしたり、一方に命令を出したりできるように構成される。
【００３２】
入力ポート８２には、入力処理回路８１が接続されている。入力処理回路８１には、例えば、上述した振動解析情報ｉｓが接続されている。そして、振動解析情報ｉｓは、入力処理回路８１に備えられるノイズフィルタやＡ／Ｄコンバータ等により、処理部９０が利用できる信号に変換されてから、入力ポート８２を介して処理部９０へ送られる。これにより、処理部９０は、必要な情報を取得することができる。
【００３３】
出力ポート８３には、出力処理回路８４が接続されている。出力処理回路８４には、表示装置８５や、外部出力用の端子が接続されている。出力処理回路８４は、表示装置制御回路、信号増幅回路等を備えている。出力処理回路８４は、処理部９０が算出した振動の特性を表示装置８５に出力する。表示装置８５は、例えば液晶表示パネルやＣＲＴ（Cathode  Ray  Tube）等を用いることができる。
【００３４】
記憶部９４は、計測システムの動作手順を含むコンピュータプログラム等が記憶されている。ここで、記憶部９４は、ＲＡＭのような揮発性のメモリ、フラッシュメモリ等の不揮発性のメモリ、ハードディスクドライブあるいはこれらの組み合わせにより構成することができる。
【００３５】
上記コンピュータプログラムは、処理部９０へすでに記録されているコンピュータプログラムとの組み合わせによって、計測システムの動作手順を実行するものであってもよい。また、このコンピュータ４１は、コンピュータプログラムの代わりに専用のハードウェアを用いて、動作手順を実行するものであってもよい。
【００３６】
図４及び図５は、実施形態の音響部屋を説明するための説明図である。図４及び図５に示すように、音響部屋２の内壁には、吸音材２０が貼り付けられている。吸音材２０は、例えば、グラスウールまたはロックウールである。吸音材２０は、音響部屋２の壁で音響粒子速度をゼロとしないので、いわゆる音響インピーダンス境界を形成する。これにより、音響部屋２内の見かけ上の空間広さを、実態よりも広くすることができる。このため、上述した音響長さＬは、短くすることができる。そして、吸音材２０がない場合と比較して、振動評価装置１は、音響部屋２を小型とすることができる。
【００３７】
また、音響部屋２は、縦Ｙ、横Ｘ及び高さＺの少なくとも１つの長さが他の長さと異なり、異なる共鳴周波数で共鳴する閉空間とすることもできる。あるいは、音響部屋２は、縦Ｙ、横Ｘ及び高さＺの長さをそれぞれ異ならせることもできる。例えば、音響部屋２は、縦Ｙの長さを２Ｈｚに共鳴する音響長さとし、横Ｘの長さを１Ｈｚに共鳴する音響長さとし、高さＺを３Ｈｚに共鳴する音響長さとすることで、１Ｈｚピッチで異なり、かつ複数の共鳴周波数で共鳴する閉空間を形成することができる。このため、実施形態に係る振動評価装置１は、より複雑な音場の共鳴周波数を再現することができる。なお、音響部屋２は、縦Ｙ、横Ｘ及び高さＺの長さを全て同じとしてもよい。
【００３８】
また、音響部屋２では、試験体Ｗは壁寄りに配置することがより好ましい。この配置により、試験体Ｗの位置が音響部屋２内の共鳴周波数の定在波の節により近くなる。その結果、試験体Ｗに作用する振動が大きくなるので、スピーカ３３の定格出力が小さいものでも使うことができる。
【００３９】
実施形態に係る振動評価装置１は、音響部屋２と、音源３と、試験体Ｗと、センサＳＨ、ＳＭ、ＳＬとを含む。音響部屋２は、可聴音以下の周波数成分で共鳴する閉空間である。音源３は、音響部屋２の中に音を放射する。試験体Ｗは、音響部屋２の中で上記周波数成分の音による振動の影響を調べる対象である。センサＳＨ、ＳＭ、ＳＬは、試験体Ｗに生じる振動を検出する。
【００４０】
実施形態に係る振動評価装置１は、音源３が低周波数成分の音を音響部屋２に放出する。音源３が放出した低周波数成分の音が音響部屋２内で共鳴して、増幅される。このため、音源３の出力は小さくても、評価をすることができる。増幅した低周波数成分の音が試験体Ｗに作用する。音源３が放出する低周波数成分の音、または低周波数成分の音の高次周波数成分の音と、試験体Ｗの窓ＷＧの固有振動周波数とが一致する場合、窓ＷＧが震える。窓ＷＧは、窓枠ＷＵに支持されているが遊びがあるため、窓ＷＧと窓枠ＷＵとが触れ合いガタを生じさせ、窓ＷＧの振動に伴う振動音を発生する。
【００４１】
締め付けトルク変更手段は、窓枠ＷＵに対して押圧力を加える機構であり、例えば取付ボルト５３の締め付け位置を変えることで、窓枠ＷＵの締め付け状態を変更する。締め付けトルク変更手段により、窓ＷＧと窓枠ＷＵとの遊びとなる窓ＷＧの振動する間隔が抑制されたり、緩和されたりする。このため、実施形態に係る振動評価装置１は、家屋毎によって異なる建具（窓ＷＧ及び窓枠ＷＵ）の状態を模擬することができる。
【００４２】
センサＳＨ、ＳＭ、ＳＬが振動に応じて電気信号を振動解析装置４２に出力する。振動解析装置４２は、コンピュータ４１に振動解析情報ｉｓを送出する。コンピュータ４１は、評価者に対して、振動の評価結果を表示装置８５に表示する。例えば、コンピュータ４１は、締め付けトルク変更手段が変更した窓枠ＷＵの締め付け状態毎の試験体Ｗの振動を記憶部９４に記憶することができる。上述したように、実施形態に係る振動評価装置１は、低周波数成分の音を試験体Ｗの振動として間接的に評価することができる。
【００４３】
また、上述した実施形態に係る振動評価装置をガスタービンに適用して説明したが、ガスタービンに限らず、可聴音以下の周波数成分の音を放出するものであれば、いずれの設備でも適用することが可能である。
【符号の説明】
【００４４】
１  振動評価装置
２  音響部屋
３  音源
４  計測システム
５  支持部材
２０  吸音材
３１  発振器
３２  アンプ
３３  スピーカ
４１  コンピュータ
４２  振動解析装置
５１  支持柱
５２  取付台
５３  取付ボルト
８５  表示装置
ｉｓ  振動解析情報
ＳＨ、ＳＭ、ＳＬ  センサ
Ｗ  試験体
ＷＧ  窓
ＷＵ  窓枠
【図１】
0005999937.tif 000002
【図２】
0005999937.tif 000003
【図３】
0005999937.tif 000004
【図４】
0005999937.tif 000005
【図５】
0005999937.tif 000006